(57)【特許請求の範囲】
【請求項１】
テレビ放送信号伝送用の伝送機器から出力される伝送信号の出力レベルを調整するための出力調整装置であって、
前記伝送機器から出力される前記伝送信号の中からテレビ放送信号を選局するための選局部と、
前記選局部にて選局された前記テレビ放送信号の信号レベルを測定するレベル測定部と、
前記選局部に対し、前記伝送信号に含まれるテレビ放送信号を複数放送チャンネル選局させ、前記レベル測定部にて測定された信号レベルが最も高い、若しくは所定値番目に高い、放送チャンネルのテレビ放送信号を特定する放送チャンネル特定手段と、
前記選局部に対し、前記放送チャンネル特定手段にて特定された放送チャンネルのテレビ放送信号を選局させ、前記レベル測定部にて検出される信号レベルが所定の目標レベルとなるよう、前記伝送機器からの前記伝送信号の出力レベルを調整するレベル調整手段と、
を備えたことを特徴とする伝送機器の出力調整装置。
【請求項２】
前記目標レベルを設定するための操作部を備えたことを特徴とする請求項１に記載の伝送機器の出力調整装置。
【請求項３】
テレビ放送信号伝送用の伝送機器から出力される伝送信号の出力レベルを調整するための出力調整装置であって、
前記伝送機器から出力される前記伝送信号の中からテレビ放送信号を選局するための選局部と、
前記選局部にて選局された前記テレビ放送信号の信号品質を検出する信号品質検出部と、
前記選局部にて選局された前記テレビ放送信号の信号レベルを測定するレベル測定部と、
前記選局部に対し、前記伝送信号に含まれるテレビ放送信号を複数放送チャンネル選局させ、前記レベル測定部にて測定された信号レベルが最も高い、若しくは所定値番目に高い、放送チャンネルのテレビ放送信号を特定する放送チャンネル特定手段と、
前記選局部に対し、前記放送チャンネル特定手段にて特定された放送チャンネルのテレビ放送信号を選局させ、前記信号品質検出部にて検出される信号品質が最適となるよう、前記伝送機器からの前記伝送信号の出力レベルを調整するレベル調整手段と、
を備えたことを特徴とする伝送機器の出力調整装置。
【請求項４】
前記テレビ放送信号の伝送経路から伝送信号を取り込み、前記選局部に入力するための入力端子と、
前記入力端子を介して、前記入力端子が接続される前記伝送経路上の伝送機器との間で通信を行うための通信部と、
を備え、
前記レベル調整手段は、前記通信部を介して、前記伝送経路上の伝送機器に出力レベル調整用の制御信号を送信することで、該伝送機器からの前記伝送信号の出力レベルを調整することを特徴とする請求項１〜請求項３の何れか１項に記載の伝送機器の出力調整装置。
【請求項５】
テレビ放送信号の伝送経路に設けられ、該伝送経路を流れる伝送信号を、増幅、分配、分岐、若しくは、他の信号と混合して、端末側に出力する伝送機器であって、
請求項１〜請求項４の何れか１項に記載の出力調整装置を備えたことを特徴とする伝送機器。
【発明の詳細な説明】
【技術分野】
【０００１】
本発明は、テレビ放送信号伝送用の伝送機器から出力される伝送信号の出力レベルを調整するための出力調整装置、及び、この出力調整装置により伝送信号の出力レベルを調整可能な伝送機器に関する。
【背景技術】
【０００２】
テレビ放送信号を伝送する伝送経路（同軸ケーブル等）には、通常、増幅装置、分岐器、分配器、混合器、といった各種伝送機器が設けられる。
そして、この種の伝送機器の内、多チャンネルのテレビ放送信号からなる伝送信号を増幅する増幅装置には、ＣＡＴＶシステムのセンタ装置、若しくは、増幅装置へ電源供給を行う電源部からの指令に従い、伝送信号の出力レベルを自動調整するように構成されたものが知られている（例えば、特許文献１参照）。
【先行技術文献】
【特許文献】
【０００３】
【特許文献１】特許第４６２５１９２号公報
【特許文献２】特公平６−９５６２０号公報
【発明の概要】
【発明が解決しようとする課題】
【０００４】
しかしながら、上述した増幅装置に対し、出力レベルを上昇又は低下させる指令を送信するのは、システムの管理者であり、管理者は、端末側での受信レベルが適正レベルになるよう、センタ装置若しくは電源部から出力レベル設定用の指令信号を送信させる必要がある。つまり、従来の増幅装置では、伝送信号の出力レベルを自動調整することはできない。
【０００５】
一方、増幅装置からの伝送信号の出力レベルを自動調整できるようにするには、増幅装置に自動利得調整回路を組み込むことも考えられる。
しかし、自動利得調整回路は、増幅装置から出力される伝送信号を検波（包絡線検波）して、その検波電圧が設定電圧となるように、増幅回路の駆動電圧や減衰回路の減衰量を調整するものである。
【０００６】
このため、伝送信号を構成するテレビ放送信号の信号レベルが、放送チャンネル間でばらついている場合、信号レベルが高い放送チャンネルのテレビ放送信号が適正レベルを越えて増幅されてしまい、そのテレビ放送信号の信号品質を劣化させてしまうことがある。
【０００７】
本発明は、こうした問題に鑑みなされたもので、テレビ放送信号の伝送機器から出力される伝送信号の出力レベルが放送チャンネル間でばらついていても、伝送信号の出力レベルを適正に調整することのできる出力調整装置及び伝送機器を提供することを目的とする。
【課題を解決するための手段】
【０００８】
かかる目的を達成するためになされた請求項１に記載の発明は、テレビ放送信号伝送用の伝送機器から出力される伝送信号の出力レベルを調整するための出力調整装置であって、
前記伝送機器から出力される前記伝送信号の中からテレビ放送信号を選局するための選局部と、
前記選局部にて選局された前記テレビ放送信号の信号レベルを測定するレベル測定部と、
前記選局部に対し、所定の放送チャンネルのテレビ放送信号を選局させ、前記レベル測定部にて検出される信号レベルが所定の目標レベルとなるよう、前記伝送機器からの前記伝送信号の出力レベルを調整するレベル調整手段と、
を備えたことを特徴とする。
【０００９】
また、請求項２に記載の発明は、請求項１に記載の伝送機器の出力調整装置において、
前記選局部に対し、前記伝送信号に含まれるテレビ放送信号を複数放送チャンネル選局させ、前記レベル測定部にて測定された信号レベルが最も高い、若しくは所定値番目に高い、放送チャンネルのテレビ放送信号を特定する放送チャンネル特定手段、
を備え、前記レベル調整手段は、前記選局部に対し、前記放送チャンネル特定手段にて特定された放送チャンネルのテレビ放送信号を選局させ、前記レベル測定部にて検出される信号レベルが所定の目標レベルとなるよう、前記伝送機器からの前記伝送信号の出力レベルを調整することを特徴とする。
【００１０】
また、請求項３に記載の発明は、請求項１又は請求項２に記載の伝送機器の出力調整装置において、前記目標レベルを設定するための操作部を備えたことを特徴とする。
また、請求項４に記載の発明は、テレビ放送信号伝送用の伝送機器から出力される伝送信号の出力レベルを調整するための出力調整装置であって、
前記伝送機器から出力される前記伝送信号の中からテレビ放送信号を選局するための選局部と、
前記選局部にて選局された前記テレビ放送信号の信号品質を検出する信号品質検出部と、
前記選局部に対し、所定の放送チャンネルのテレビ放送信号を選局させ、前記信号品質検出部にて検出される信号品質が最適となるよう、前記伝送機器からの前記伝送信号の出力レベルを調整するレベル調整手段と、
を備えたことを特徴とする。
【００１１】
また、請求項５に記載の発明は、請求項４に記載の伝送機器の出力調整装置において、
前記選局部にて選局された前記テレビ放送信号の信号レベルを測定するレベル測定部と、
前記選局部に対し、前記伝送信号に含まれるテレビ放送信号を複数放送チャンネル選局させ、前記レベル測定部にて測定された信号レベルが最も高い、若しくは所定値番目に高い、放送チャンネルのテレビ放送信号を特定する放送チャンネル特定手段と、
を備え、前記レベル調整手段は、前記選局部に対し、前記放送チャンネル特定手段にて特定された放送チャンネルのテレビ放送信号を選局させ、前記信号品質検出部にて検出される信号品質が最適となるよう、前記伝送機器からの前記伝送信号の出力レベルを調整することを特徴とする。
【００１２】
また、請求項６に記載の発明は、請求項１〜請求項５の何れか１項に記載の伝送機器の出力調整装置において、
前記テレビ放送信号の伝送経路から伝送信号を取り込み、前記選局部に入力するための入力端子と、
前記入力端子を介して、前記入力端子が接続される前記伝送経路上の伝送機器との間で通信を行うための通信部と、
を備え、
前記レベル調整手段は、前記通信部を介して、前記伝送経路上の伝送機器に出力レベル調整用の制御信号を送信することで、該伝送機器からの前記伝送信号の出力レベルを調整することを特徴とする。
【００１３】
また、請求項７に記載の発明は、テレビ放送信号の伝送経路に設けられ、該伝送経路を流れる伝送信号を、増幅、分配、分岐、若しくは、他の信号と混合して、端末側に出力する伝送機器であって、請求項１〜請求項６の何れか１項に記載の出力調整装置を備えたことを特徴とする。
【発明の効果】
【００１４】
請求項１に記載の伝送機器の出力調整装置には、伝送機器から出力される伝送信号の中からテレビ放送信号を選局するための選局部と、その選局部にて選局されたテレビ放送信号の信号レベルを測定するレベル測定部と、が備えられている。
【００１５】
そして、レベル調整手段が、選局部に対し、所定の放送チャンネルのテレビ放送信号を選局させて、レベル測定部にて測定される信号レベルが所定の目標レベルとなるよう、伝送機器からの伝送信号の出力レベルを調整する。
【００１６】
つまり、請求項１に記載の出力調整装置においては、伝送機器から出力される伝送信号全体の信号レベルを測定するのではなく、所定の放送チャンネルのテレビ放送信号の信号レベルを測定し、その信号レベルが目標レベルとなるように、伝送機器からの伝送信号の出力レベルを調整する。
【００１７】
従って、請求項１に記載の出力調整装置によれば、伝送信号を構成するテレビ放送信号の信号レベルが放送チャンネル間でばらついていても、例えば、使用者等により設定された所定の放送チャンネルのテレビ放送信号を使って、伝送機器からの伝送信号の出力レベルを調整することができる。
【００１８】
よって、請求項１に記載の出力調整装置によれば、伝送機器からの伝送信号の出力レベルを調整することにより、信号レベルが高い放送チャンネルのテレビ放送信号の信号品質を劣化させてしまうのを防止できる。
【００１９】
また、請求項１に記載の出力調整装置によれば、伝送機器からの伝送信号の出力レベルを調整するに当たって、従来のように、管理者が、手動操作によって、ＣＡＴＶシステムのセンタ装置若しくは増幅装置の電源部から、出力レベル設定用の指令信号を送信させる必要がないので、伝送機器からの伝送信号の出力レベルの調整を簡単に行うことができる。
【００２０】
ところで、レベル調整手段が選局部に選局させるテレビ放送信号の放送チャンネルは、使用者が設定するようにしてもよいが、使用者が、信号レベルが高い放送チャンネルを把握しておらず、適当に放送チャンネルを設定すると、レベル調整を良好に実施できないことも考えられる。
【００２１】
このため、請求項２に記載のように、放送チャンネル特定手段が、選局部に対し、伝送信号に含まれるテレビ放送信号を複数放送チャンネル選局させ、レベル測定部にて測定された信号レベルが最も高い、若しくは所定値番目に高い、放送チャンネルのテレビ放送信号を特定するようにしてもよい。
【００２２】
そして、このようにすれば、レベル調整手段は、選局部に対し、放送チャンネル特定手段にて特定された信号レベルが高い放送チャンネルのテレビ放送信号を選局させて、伝送機器からの伝送信号の出力レベルを調整できるようになるので、レベル調整をより適正に行うことができる。
【００２３】
次に、請求項３に記載の伝送機器の出力調整装置には、目標レベルを設定するための操作部が備えられている。このため、管理者は、この操作部を利用して、目標レベルを設定することで、伝送機器からの伝送信号の出力レベルを任意に設定することが可能となり、その設定作業を簡単に行うことができる。
【００２４】
なお、この操作部としては、出力調整装置本体に設けられていてもよく、出力調整装置本体とは別体で構成されていて、無線信号を利用した遠隔操作で目標レベルを設定できるようにしてもよい。
【００２５】
また、このように遠隔操作で目標レベルを設定するための操作部としては、必ずしも専用の無線機器（所謂リモコン装置）で構成する必要はなく、例えば、携帯電話やスマートフォン、或いは、タブレット端末のような無線情報端末の一機能として実現するようにしてもよい。
【００２６】
次に、請求項４に記載の伝送機器の出力調整装置は、上記と同様の選局部及びレベル調整手段に加えて、選局部にて選局されたテレビ放送信号の信号品質を検出する信号品質検出部を備える。
【００２７】
そして、レベル調整手段は、選局部に対し所定の放送チャンネルのテレビ放送信号を選局させ、信号品質検出部にて検出される信号品質が最適となるよう、伝送機器からの伝送信号の出力レベルを調整する。
【００２８】
このため、請求項４に記載の出力調整装置によれば、伝送機器から出力される伝送信号の中から、例えば、使用者等により設定された所定の放送チャンネルのテレビ放送信号の信号品質が最適となるように、伝送機器からの伝送信号の出力レベルを設定できる。
【００２９】
よって、請求項４に記載の出力調整装置によれば、伝送機器からの伝送信号の出力レベルを調整することにより、テレビ放送信号の信号品質が劣化するのを防止することができる。
【００３０】
また、請求項４に記載の出力調整装置によれば、請求項１に記載のものと同様、伝送機器からの伝送信号の出力レベルを調整するに当たって、従来のように、管理者が、手動操作によって、ＣＡＴＶシステムのセンタ装置若しくは増幅装置の電源部から、出力レベル設定用の指令信号を送信させる必要がないので、伝送機器からの伝送信号の出力レベルの調整を簡単に行うことができる。
【００３１】
なお、請求項５に記載のように、この出力調整装置においても、請求項２と同様、放送チャンネル特定手段が、選局部に対し、伝送信号に含まれるテレビ放送信号を複数放送チャンネル選局させ、レベル測定部にて測定された信号レベルが最も高い、若しくは所定値番目に高い、放送チャンネルのテレビ放送信号を特定し、レベル調整手段が、その特定された放送チャンネルのテレビ放送信号を選局部に選局させるようにしてもよい。
【００３２】
次に、請求項６に記載の出力調整装置には、テレビ放送信号の伝送経路から伝送信号を取り込み選局部に入力するための入力端子と、入力端子を介して伝送経路上の伝送機器との間で通信を行うための通信部と、が備えられている。
【００３３】
そして、レベル調整手段は、その通信部を介して、伝送経路上の伝送機器に出力レベル調整用の制御信号を送信することで、その伝送機器からの伝送信号の出力レベルを調整する。
【００３４】
つまり、請求項６に記載の出力調整装置は、出力レベルの調整対象となる伝送機器とは別体で構成されていて、その伝送機器からの伝送信号の出力レベルを、伝送経路を介して調整することができる。
【００３５】
このため、伝送機器としては、上述した従来の増幅装置のように、伝送経路を介して伝送されてくる制御信号に従い、出力レベルを調整可能な伝送機器を利用することができる。
【００３６】
なお、本発明（請求項１〜請求項６）の出力調整装置は、必ずしも、出力レベルの調整対象となる伝送機器と別体で構成する必要はなく、請求項７に記載のように、その伝送機器に設けられていてもよい。
【００３７】
また、出力レベルの調整対象となる伝送機器は、増幅装置に限定されるものではなく、請求項７に記載のように、伝送経路を流れる伝送信号を、増幅、分配、分岐、若しくは、他の信号と混合するもの、つまり、増幅装置、分配器、分岐器、混合器等であってもよい。
【００３８】
但し、出力レベルの調整対象となる伝送機器に伝送信号増幅用の増幅回路が備えられていない場合、出力レベルの調整は、伝送信号の通過経路に設けられた減衰回路の減衰量を調整することにより行われることになる。
【図面の簡単な説明】
【００３９】
【図１】実施形態のテレビ放送受信システムとレベルチェッカーを表す説明図である。
【図２】図１に示す増幅装置の構成を表すブロック図である。
【図３】図１に示すレベルチェッカーの構成を表すブロック図である。
【図４】図３に示す制御部にて実行されるレベル調整処理を表すフローチャートである。
【図５】レベル調整処理の変形例を表すフローチャートである。
【発明を実施するための形態】
【００４０】
以下に本発明の実施形態について説明する。
本実施形態は、本発明の出力調整装置としての機能を、テレビ放送信号の信号レベルを測定するレベル測定装置（所謂レベルチェッカー）に適用したものである。
【００４１】
図１に示すように、本実施形態のレベルチェッカー４０は、ＵＨＦアンテナ４及びパラボラアンテナ６にて受信されたテレビ放送信号を、同軸ケーブルからなる伝送経路を介して、建造物内の各部屋に設けられた複数の直列ユニット９まで伝送するテレビ放送受信システム２において、テレビ放送信号の信号レベルを測定するのに用いられる。
【００４２】
テレビ放送受信システム２には、例えば、ＵＨＦアンテナ４にて受信された地上波放送信号と、パラボラアンテナ６にて受信されたＢＳ、ＣＳの各衛星放送信号（詳しくは、パラボラアンテナ６のコンバータにて周波数変換された中間周波信号、以下、ＢＳ／ＣＳ放送信号という）とをそれぞれ増幅し、混合して出力する増幅装置１０や、増幅装置１０からの出力を複数の伝送経路に分配する分配器８が備えられている。
【００４３】
そして、分配器８にて分配された複数の伝送経路上には、複数の直列ユニット９が設けられている。この複数の直列ユニット９の内、伝送経路の途中に設けられたものは、伝送信号（つまり地上波放送信号とＢＳ／ＣＳ放送信号との混合信号）の一部を分岐して出力するための出力端子（一般にＦ型端子）を備え、伝送経路の末端に設けられたものは、伝送信号をそのまま出力するための出力端子を備える。
【００４４】
レベルチェッカー４０は、増幅装置１０、分配器８、或いは、直列ユニット９の出力端子に接続可能な入力端子４２を備え、その入力端子４２から伝送信号を取り込み、操作部６４を介して指定された放送種別・放送チャンネルの信号レベル及び信号品質を測定して、表示部６２に表示するためのものである。
【００４５】
なお、信号品質としては、ＭＥＲ（Modulation Error Ratio）及びＢＥＲ（Bit Error Rate）の両方を測定可能である。
次に、増幅装置１０及びレベルチェッカー４０の構成について説明する。
【００４６】
図２に示すように、増幅装置１０は、ＢＳ／ＣＳ放送信号を入力するための入力端子１２と、地上波放送信号を入力するための入力端子２２と、これら各放送信号を増幅して混合した信号を伝送信号として伝送経路上に出力するための出力端子３２と、を備える。
【００４７】
入力端子１２に入力されたＢＳ／ＣＳ放送信号は、ＢＳ／ＣＳ放送信号だけを選択的に通過させるバンドパスフィルタ（ＢＰＦ）１４を介して、増幅回路１６に入力され、増幅回路１６にて増幅された後、ＢＳ／ＣＳ放送信号を選択的に通過させるハイパスフィルタ（ＨＰＦ）１８に入力される。
【００４８】
また、入力端子２２に入力された地上波放送信号は、地上波放送信号だけを選択的に通過させるバンドパスフィルタ（ＢＰＦ）２４を介して、増幅回路２６に入力され、増幅回路２６にて増幅された後、地上波放送信号を選択的に通過させるローパスフィルタ（ＬＰＦ）２８に入力される。
【００４９】
ＨＰＦ１８及びＬＰＦ２８は、増幅回路１６、２６にて増幅されたＢＳ／ＣＳ放送信号及び地上波放送信号を通過させることで、これら各放送信号を混合し、その混合信号を、出力端子３２から端末側へと出力させるためのものである。
【００５０】
また、ＨＰＦ１８及びＬＰＦ２８から出力端子３２への混合信号の出力経路には、端末側から出力端子３２に入力された制御信号を分岐させるための方向性結合器３０が設けられており、方向性結合器３０にて分岐された制御信号は、受信部３４に入力される。
【００５１】
受信部３４は、制御信号から指令内容を復元して、レベル調整部３６に入力することで、レベル調整部３６に、増幅回路１６又は増幅回路２６からのテレビ放送信号の出力レベルを調整させる。
【００５２】
つまり、本実施形態では、増幅回路１６、２６は、それぞれ、各放送信号を増幅するための増幅部１６ａ、２６ａと、増幅部１６ａ、２６の入力側及び出力側に設けられて、各放送信号を減衰させる可変減衰器１６ｂ及び１６ｃ、２６ｂ及び２６ｃと、を備えている。
【００５３】
そして、レベル調整部３６は、受信部３４にて復元されたＢＳ／ＣＳ放送信号又は地上波放送信号に対するレベルアップ・ダウン指令に従い、対応する増幅回路１６又は２６の利得を調整することで、ＢＳ／ＣＳ放送信号又は地上波放送信号の信号レベルをアップ又はダウンさせる。
【００５４】
なお、レベル調整部３６は、増幅回路１６、２６の利得調整を行う際には、増幅回路１６、２６内の可変減衰器１６ｂ、１６ｃ又は２６ｂ、２６ｃの減衰量を予め設定された調整量だけ低下若しくは増加させることで、増幅回路１６の利得を所定量増加若しくは低下させる。
【００５５】
次に、レベルチェッカー４０は、図３に示すように、入力端子４２から入力された伝送信号の中から、所定放送種別・放送チャンネルのテレビ放送信号を選局して所定の中間周波信号に周波数変換する選局部４６と、その選局部４６から出力されるテレビ放送信号をＢＥＲ／ＭＥＲ測定部５０及びレベル測定部５２に分配する分配部４８と、を備える。
【００５６】
ＢＥＲ／ＭＥＲ測定部５０は、選局部４６にて選局されたテレビ放送信号の信号品質（ＢＥＲ、ＭＥＲ）を測定するためのものであり、その測定結果は、制御部６０に入力される。
【００５７】
また、レベル測定部５２は、例えば、選局部４６にて選局されたテレビ放送信号を包絡線検波することにより、その信号レベルを測定するためのものであり、その測定結果は、制御部６０に入力される。
【００５８】
制御部６０は、ＣＰＵ、ＲＯＭ、ＲＡＭ等からなるマイクロコンピュータにて構成されており、マイクロコンピュータが実行するプログラムにて、一般的なレベルチェッカーとしての機能と、本発明の出力調整装置としての機能を実現する。
【００５９】
すなわち、制御部６０は、操作部６４を介して、動作モードを、レベルチェッカーとしての動作モードと、出力調整装置としての動作モードとに切り替えることができる。
そして、制御部６０は、動作モードがレベルチェッカーとして設定されているときには、操作部６４を介して入力される使用者からの指令に従い、所定放送種別・放送チャンネルのテレビ放送信号を選局部４６に選局させて、各測定部５０、５２から測定結果を取り込み、表示部６２に表示させる。
【００６０】
また、制御部６０は、動作モードが出力調整装置として設定されているときには、選局部４６に対し、操作部６４を介して指定された放送種別のテレビ放送信号を全放送チャンネル選局させる。
【００６１】
そして、その選局させた放送チャンネルの中から、レベル測定部５２にて測定された信号レベルが最も高い放送チャンネル（ピークチャンネル）を選択し、その放送チャンネルの信号レベルが適正レベルとなるよう、増幅装置１０内の対応する放送種別の増幅回路１６又は２６からの放送信号の信号レベルを制御するための指令信号を出力する。
【００６２】
このため、レベルチェッカー４０には、制御部６０から出力された指令信号（指令データ）を、入力端子４２及びテレビ放送受信システム２の伝送経路を介して増幅装置の受信部３４まで伝送させるための制御信号（高周波信号）に変換する送信部５４、及び、入力端子４２から選局部４６に至る伝送経路に設けられて、送信部５４からの制御信号を入力端子４２側に出力するための方向性結合器４４が設けられている。
【００６３】
また、レベルチェッカー４０には、使用者が、携帯電話やスマートフォン、或いは、タブレット端末のような無線情報端末を利用して遠隔操作できるようにするため、所定の通信方式でアンテナ５６を介して無線通信を行う無線通信部５８も設けられている。
【００６４】
このため、使用者は、操作部６４及び自身が所有する無線情報端末の何れかを利用して、レベルチェッカー４０を操作することができる。また、使用者は、レベルチェッカー４０による測定結果を、表示部６２及び無線情報端末の何れか（若しくはその両方）に表示させて、確認することができる。
【００６５】
次に、レベルチェッカー４０の動作モードが、出力調整装置としての動作モードに設定されているときに、制御部６０にて実行される出力調整処理について、図４のフローチャートに沿って説明する。
【００６６】
図４に示すように、出力調整処理では、まずＳ１１０（Ｓはステップを表す）にて、操作部６４又は外部の無線情報端末から、出力レベルの調整対象となる放送種別（ＢＳ／ＣＳ放送又は地上波放送）及びその放送種別のテレビ放送信号の信号レベルが設定されて、調整開始指令が入力されるのを待つ。
【００６７】
そして、調整開始指令が入力されると、Ｓ１２０に移行して、選局部４６に対し、調整対象となる放送種別（ＢＳ／ＣＳ放送又は地上波放送）のテレビ放送信号を全放送チャンネル順次選局（所謂チャンネルスキャン）させて、受信できた放送チャンネル毎に、レベル測定部５２から信号レベルを取得する。
【００６８】
次に、Ｓ１３０では、Ｓ１２０のチャンネルスキャンにて得られた放送チャンネル毎の信号レベルの中から、信号レベルが最も高い放送チャンネル（ピークチャンネル）を選定する。
【００６９】
また続くＳ１４０では、その選定したピークチャンネルのテレビ放送信号を選局部４６に選局させ、レベル測定部５２から、そのピークチャンネルのテレビ放送信号の信号レベルを取得する。
【００７０】
次に、Ｓ１５０では、Ｓ１４０にて得られたピークチャンネルのテレビ放送信号の信号レベル（測定レベル）は、Ｓ１１０にて設定された信号レベル（設定レベル）を中心とする許容範囲内にあるか否かを判断する。
【００７１】
そして、測定レベルが許容範囲内にあれば、増幅装置１０の出力調整は不要であると判断して、当該出力調整処理を終了し、測定レベルが許容範囲内になければ、Ｓ１６０に移行して、測定レベルは大きいか否か、つまり、測定レベルは許容範囲の上限レベルを超えているか否か、を判断する。
【００７２】
なお、この許容範囲は、予め設定されていてもよく、使用者が操作部６４を介して任意に設定できるようにしてもよい。
Ｓ１６０にて、測定レベルは大きいと判断されると、Ｓ１７０に移行して、増幅装置１０の出力調整用の制御信号として、出力調整すべき放送種別を含むレベルダウン指令を送信部５４から送信させる。
【００７３】
この結果、増幅装置１０では、受信部３４が制御信号を受信して放送種別を含むレベルダウン指令を復元し、レベル調整部３６が、その復元されたレベルダウン指令に従い、指定された放送種別に対応する増幅回路１６又は２６の利得を所定量だけ低下させる。
【００７４】
一方、Ｓ１６０にて、測定レベルは大きくない（つまり、測定レベルは許容範囲の下限レベルを下まわっている）と判断されると、Ｓ１８０に移行して、増幅装置１０の出力調整用の制御信号として、出力調整すべき放送種別を含むレベルアップ指令を送信部５４から送信させる。
【００７５】
この結果、増幅装置１０では、受信部３４が制御信号を受信して放送種別を含むレベルダウン指令を復元し、レベル調整部３６が、その復元されたレベルアップ指令に従い、指定された放送種別に対応する増幅回路１６又は２６の利得を所定量だけ増加させる。
【００７６】
このように、Ｓ１７０又は１８０にて、送信部５４から制御信号を送信させると、増幅装置１０の増幅回路１６又は２６の利得が所定量だけ低下又は増加するので、レベル測定部５２にて測定されるピークチャンネルのテレビ放送信号の信号レベルも所定量だけ低下又は増加することになる。
【００７７】
このため、Ｓ１７０又はＳ１８０の処理実行後は、再度Ｓ１４０に移行し、Ｓ１４０以降の処理を実行する。この結果、ピークチャンネルのテレビ放送信号の信号レベルは、最終的に、許容範囲内に制御されることになり、その信号レベルが許容範囲内に入れば、当該出力調整処理は終了する。
【００７８】
以上説明したように、本実施形態のレベルチェッカー４０によれば、動作モードを、テレビ放送信号の信号レベルや信号品質を測定して出力する通常の動作モードから、テレビ放送受信システム２の伝送経路上に設けられた増幅装置１０からの伝送信号の出力レベルを調整する動作モードに切り替えることができる。
【００７９】
そして、この動作モードでは、操作部６４又は外部の無線情報端末からの指令に従い、信号レベルの調整の対象となる放送種別のテレビ放送信号をチャンネルスキャンすることで、信号レベルが最も高いピークチャンネルを選定し、ピークチャンネルのテレビ放送信号の信号レベルが、目標レベルである許容範囲内になるよう、増幅装置１０に対し制御信号（レベルアップ・ダウン信号）を送信する。
【００８０】
このため、本実施形態のレベルチェッカー４０によれば、テレビ放送受信システム２の伝送信号を構成する同一放送種別のテレビ放送信号の信号レベルが、放送チャンネル間でばらついていても、信号レベルが最も高いピークチャンネルのテレビ放送信号を使って、増幅装置１０からの伝送信号の出力レベルを適正レベルに調整することができる。
【００８１】
よって、本実施形態のレベルチェッカー４０によれば、増幅装置１０からの伝送信号の出力レベルを調整することにより、ピークチャンネルのテレビ放送信号の信号品質を劣化させてしまうのを防止できる。
【００８２】
また、本実施形態のレベルチェッカー４０によれば、増幅装置１０からの伝送信号の出力レベルを調整する際、従来のように、管理者が、レベルチェッカー４０による測定結果を見ながら、レベル調整用の伝送機器（増幅装置１０の電源部など）を手動操作して、増幅装置１０にレベル調整用の制御信号を送信させる必要がない。
【００８３】
このため、管理者は、アンテナ直下に設けられた増幅装置１０の出力レベルを調整する場合であっても、その調整作業を極めて簡単に行うことができる。
また、本実施形態のレベルチェッカー４０によれば、操作部６４若しくは無線情報端末を利用して、放送種別毎に、テレビ放送信号の信号レベルを設定できるようになっており、増幅装置１０からの伝送信号の出力レベルを調整する際には、レベル測定部５２による測定レベルが、その設定された信号レベル（設定レベル）を中心とする許容範囲内になるよう、増幅装置１０の出力レベルを制御する。
【００８４】
このため、管理者は、操作部６４若しくは無線情報端末を介して、増幅装置１０からの伝送信号の出力レベル（目標レベル）を、放送種別毎に任意に設定できることになり、目標レベルの設定及び変更を簡単に行うことができる。
【００８５】
また、本実施形態のレベルチェッカー４０は、一般的なレベルチェッカーとしての機能を有することから、例えば、図１に示す各部屋の直列ユニット９でのテレビ放送信号の信号レベルを測定して、レベルチェッカー４０に記憶させ、その記憶させた信号レベルから、システム全体で最適となるように、増幅装置１０からの伝送信号の出力レベル（目標レベル）を設定する、といった使い方もできる。
【００８６】
なお、本実施形態においては、レベルチェッカー４０が、本発明の出力調整装置に相当し、レベルチェッカー４０の送信部５４が、本発明の通信部に相当し、制御部６０が、本発明の放送チャンネル特定手段及びレベル調整手段に相当する。
【００８７】
また、放送チャンネル特定手段としての機能は、制御部６０が実行するＳ１１０〜Ｓ１３０の処理にて実現され、レベル調整手段としての機能は、制御部６０が実行するＳ１４０〜Ｓ１８０の処理にて実現される。
【００８８】
以上、本発明の一実施形態について説明したが、本発明は上記実施形態に限定されるものではなく、本発明の要旨を逸脱しない範囲内で種々の態様をとることができる。
例えば、上記実施形態では、ピークチャンネルのテレビ放送信号の信号レベルが、目標レベルである許容範囲内になるよう、増幅装置１０からの出力レベルを調整するが、こうしたレベル調整だけでは、テレビ放送信号の信号品質を最適にできないことも考えられる。
【００８９】
つまり、例えば、増幅装置１０が出力信号の回り込み等によって発振した場合、レベルチェッカー４０にて測定したテレビ放送信号の信号レベルは許容範囲内にあっても、その信号品質が悪く、受信端末にてテレビ放送を正常に視聴できないことがある。
【００９０】
このため、テレビ放送信号の信号レベルだけでなく、信号品質も考慮して、増幅装置１０からの伝送信号の出力レベルを調整するようにしてもよい。
そして、そのためには、制御部６０において、図５に示す手順で出力調整処理を実行するようにするとよい。
【００９１】
以下、この出力調整処理について本実施形態の変形例として説明する。
図５に示すように、変形例の出力調整処理においては、まずＳ２１０にて、操作部６４又は外部の無線情報端末から、出力レベルの調整対象となる放送種別（ＢＳ／ＣＳ放送又は地上波放送）が設定されて、調整開始指令が入力されるのを待つ。
【００９２】
そして、調整開始指令が入力されると、Ｓ２２０に移行して、選局部４６に対し、調整対象となる放送種別（ＢＳ／ＣＳ放送又は地上波放送）のテレビ放送信号を全放送チャンネル順次選局（所謂チャンネルスキャン）させて、受信できた放送チャンネル毎に、レベル測定部５２から信号レベルを取得する。
【００９３】
次に、Ｓ２３０では、Ｓ２２０のチャンネルスキャンにて得られた放送チャンネル毎の信号レベルの中から、信号レベルが最も高い放送チャンネル（ピークチャンネル）を選定する。
【００９４】
また続くＳ２４０では、その選定したピークチャンネルのテレビ放送信号を選局部４６に選局させ、ＢＥＲ／ＭＥＲ測定部５０から、そのピークチャンネルのテレビ放送信号の信号品質（ＢＥＲ、ＭＥＲ）を取得する。
【００９５】
次に、Ｓ２５０では、増幅装置１０の出力調整用の制御信号として、Ｓ２１０で設定された放送種別を含むレベルアップ信号を送信部５４から増幅装置１０に送信させることで、増幅装置１０からの伝送信号（調整対象となる放送種別のテレビ放送信号）の出力レベルを上昇させる。
【００９６】
そして、続くＳ２６０では、Ｓ２５０での制御信号の送信によって変化したであろう、ピークチャンネルのテレビ放送信号の信号品質（ＢＥＲ、ＭＥＲ）を、ＢＥＲ／ＭＥＲ測定部５０から取得し、Ｓ２７０にて、その取得した信号品質と前回Ｓ２４０又はＳ２６０で取得した信号品質とを比較することで、信号品質は劣化したか否かを判断する。
【００９７】
Ｓ２７０にて、信号品質は劣化していないと判断された場合（つまり信号品質は略同じか改善されている場合）には、再度Ｓ２５０に移行することで、増幅装置１０からの伝送信号の出力レベルを再度上昇させる。
【００９８】
また、Ｓ２７０にて、信号品質は劣化したと判断された場合には、Ｓ２８０に移行して、増幅装置１０の現在の制御状態Ａ（例えば、増幅装置１０の利得、増幅装置１０に対するレベルアップ／ダウン信号の送信回数等）を制御部６０内のメモリに記憶する。
【００９９】
次に、続くＳ２９０では、増幅装置１０の出力調整用の制御信号として、Ｓ２１０で設定された放送種別を含むレベルダウン信号を送信部５４から増幅装置１０に送信させることで、増幅装置１０からの伝送信号の出力レベルを低下させる。
【０１００】
そして、続くＳ３００では、ピークチャンネルのテレビ放送信号の信号品質（ＢＥＲ、ＭＥＲ）を、ＢＥＲ／ＭＥＲ測定部５０から取得し、Ｓ３１０にて、その取得した信号品質と前回Ｓ２６０又はＳ３００にて取得した信号品質とを比較することで、信号品質は劣化したか否かを判断する。
【０１０１】
Ｓ３１０にて、信号品質は劣化していないと判断された場合（つまり信号品質は略同じか改善されている場合）には、再度Ｓ２９０に移行することで、増幅装置１０からの伝送信号の出力レベルを再度低下させる。
【０１０２】
また、Ｓ３１０にて、信号品質は劣化したと判断された場合には、Ｓ３２０に移行して、増幅装置１０の現在の制御状態Ｂを制御部６０内のメモリに記憶する。
そして、続く３３０では、増幅装置１０が、Ｓ２８０及びＳ３２０にて記憶した制御状態Ａ、Ｂの中間となるように、増幅装置１０を制御し、当該出力調整処理を終了する。
【０１０３】
以上説明したように、変形例の出力調整処理においては、ピークチャンネルのテレビ放送信号の信号レベルが目標レベルである許容範囲内になるように、増幅装置１０からの伝送信号の出力レベルを制御するのではなく、ピークチャンネルのテレビ放送信号の信号品質が最適になるように、増幅装置１０からの伝送信号の出力レベルを制御する。
【０１０４】
このため、ピークチャンネルのテレビ放送信号の信号レベルが、増幅装置１０の発振等によって異常に高い場合に、ＢＥＲ、ＭＥＲ等にて測定された信号品質が最適となるように、増幅装置１０からの伝送信号の出力レベル（換言すれば利得）を抑制することができるようになる。この結果、受信端末側では、テレビ放送を正常に視聴することが可能となる。
【０１０５】
次に、上記実施形態では、増幅装置１０から出力されるテレビ放送信号の信号レベル（出力レベル）を、地上波放送、ＢＳ/ＣＳ、の放送種別毎に行うようにしているが、これは、増幅装置１０内の増幅回路１６、２６が、これらの放送種別毎に設けられているためである。
【０１０６】
このため、例えば、増幅装置１０内の増幅回路が、地上波放送、ＢＳ放送、ＣＳ放送、の３つの放送種別毎に設けられている場合には、この３つの放送種別毎にピークチャンネルを特定して、出力レベルを調整するようにすればよい。
【０１０７】
また、上記実施形態では、レベルチェッカー４０に本発明の出力調整装置としての機能を組み込み、テレビ放送信号の伝送経路上の増幅装置１０からの出力レベルを、伝送経路の末端側から所謂遠隔操作にて調整できるようにした。
【０１０８】
しかし、本発明の出力調整装置は、伝送経路上の増幅装置１０や他の伝送機器（分配器８や分岐器等）、或いは、伝送経路の末端に設けられる受信機器（テレビや録画装置等）に、上記実施形態のレベルチェッカー４０と同様の機能を組み込むことによって、実現するようにしてもよい。
【０１０９】
また、上記実施形態では、ピークチャンネルを特定して、そのピークチャンネルの信号レベルが許容範囲内になるか、或いは、ピークチャンネルのテレビ放送信号の信号品質が最適状態になるように、出力レベルを調整するようにした。
【０１１０】
しかし、レベル調整に用いる信号レベル若しくは信号品質のテレビ放送信号は、必ずしも、信号レベルが最も高いピークチャンネルのテレビ放送信号にする必要はなく、例えば、複数チャンネルのテレビ放送信号の内、信号レベルが２番目、或いは、３番目のテレビ放送信号を、レベル調整に用いるテレビ放送信号として選定するようにしてもよい。
【０１１１】
そして、この場合には、その選定したテレビ放送信号の信号レベル若しくは信号品質が最もよくなるように、伝送機器からの伝送信号の出力レベルを調整することができるようになる。
【０１１２】
また、上記実施形態では、制御部６０が、レベル調整に用いるピークチャンネルを特定するものとして説明したが、このピークチャンネルの特定は必ずしも実施する必要はなく、使用者が操作部６４を操作することにより、ピークチャンネルを指定するようにしてもよい。
【０１１３】
つまり、受信点でのピークチャンネルは、地域によって異なるものの、ピークチャンネルは概ね固定されている。このため、このピークチャンネルを予め設定しておくか、或いは、使用者がピークチャンネルを指定できるようにしても、本発明の所期の目的は達成できる。
【０１１４】
また、上記実施形態では、レベル調整に用いるピークチャンネルを、全放送チャンネルの信号レベルを測定することにより特定するものとして説明したが、予め設定された複数の放送チャンネルの信号レベルを測定して、その測定結果からピークチャンネルを特定するようにしてもよい。
【符号の説明】
【０１１５】
２…テレビ放送受信システム、４…ＵＨＦアンテナ、６…パラボラアンテナ、８…分配器、９…直列ユニット、１０…増幅装置、１６，２６…増幅回路、１６ａ，２６ａ…増幅部、１６ｂ，１６ｃ，２６ｂ，２６ｃ…可変減衰器、３０…方向性結合器、３４…受信部、３６…レベル調整部、４０…レベルチェッカー、４２…入力端子、４４…方向性結合器、４６…選局部、４８…分配部、５０…ＢＥＲ／ＭＥＲ測定部、５２…レベル測定部、５４…送信部、５６…アンテナ、５８…無線通信部、６０…制御部、６２…表示部、６４…操作部。
【図１】
0006534845.tif 000002
【図２】
0006534845.tif 000003
【図３】
0006534845.tif 000004
【図４】
0006534845.tif 000005
【図５】
0006534845.tif 000006